(57)【要約】【課題】ベースバンドデジタルビデオ伝送方式においてもクローズドキャプションデータを独立に伝送する。【解決手段】ＣＣパケット化部３がクローズドキャプションデータをパケット化してＣＣパケットとし、さらに入力されるＨＶ信号とＤＥ信号とに基づいてクローズドキャプションデータイネーブル信号を出力し、オアゲート１３がデジタルビデオデータイネーブル信号とクローズドキャプションデータイネーブル信号との論理和を取ってデータイネーブル信号２１を出力し、パケット多重部４が入力されるデジタルビデオデータにデジタルビデオデータイネーブル信号に従ってＣＣパケットを多重して伝送データ２２とし、送信側デジタル伝送物理層５がデータイネーブル信号２１と伝送データ２２とを変調して送信する。【選択図】　　図１
2004015105.tif 000002
【特許請求の範囲】
【請求項１】
デジタルビデオデータを送受信する送受信装置であって、
クローズドキャプションデータをパケットにする第１の処理手段と、
この第１の処理手段で処理されたクローズドキャプションデータのパケットを、上記デジタルビデオデータのアクティブビデオ期間外の期間に多重する多重手段と、
この多重手段でパケットが多重されたデジタルビデオデータを変調して送信する送信手段と、
この送信手段で送信されたパケットが多重されたデジタルビデオデータを受信して復調する受信手段と、
この受信手段で復調されたパケットが多重されたデジタルビデオデータを、デジタルビデオデータとパケットとに分離する分離手段と、
この分離手段で分離されたパケットをクローズドキャプションデータにする第２の処理手段と、
を具備したことを特徴とする送受信装置。
【請求項２】
前記第２の処理手段で処理されたクローズドキャプションデータを上記分離手段で分離されたデジタルビデオデータの映像信号に多重して表示する表示手段をさらに具備したことを特徴とする請求項１記載の送受信装置。
【請求項３】
デジタルビデオデータの送受信方法であって、
クローズドキャプションデータをパケットに処理し、
この処理されたクローズドキャプションデータのパケットを上記デジタルビデオデータのアクティブビデオ期間外の期間に多重し、
このパケットが多重されたデジタルビデオデータを変調して送信し、
この送信されたパケットが多重されたデジタルビデオデータを受信して復調し、
この復調されたパケットが多重されたデジタルビデオデータを、デジタルビデオデータとパケットとに分離し、
この分離されたパケットをクローズドキャプションデータに処理したことを特徴とする送受信方法。
【請求項４】
デジタルビデオデータを送信する送信装置であって、
クローズドキャプションデータをパケットにする処理手段と、
この処理手段で処理されたクローズドキャプションデータのパケットを、上記デジタルビデオデータのアクティブビデオ期間外の期間に多重する多重手段と、この多重手段でパケットが多重されたデジタルビデオデータを変調して送信する送信手段と、
を具備したことを特徴とする送信装置。
【請求項５】
デジタルビデオデータを送信する送信装置において、
クローズドキャプションデータをパケットにする処理手段と、
この処理手段で処理されたクローズドキャプションデータのパケットを上記デジタルビデオデータの映像信号期間外の期間に多重する多重手段と、
上記デジタルビデオデータの映像信号期間と上記パケットを多重した期間とを識別する識別信号を生成する生成手段と、
この生成手段で生成された識別信号と上記多重手段でクローズドキャプションデータのパケットが多重されたデジタルビデオデータとを変調して送信する送信手段と、
を具備したことを特徴とする送信装置。
【請求項６】
上記生成手段は、上記デジタルビデオデータと共に供給される同期信号とデータイネーブル信号とに基づいて、上記クローズドキャプションデータのパケットを多重する有効期間と、上記デジタルビデオデータの有効映像信号期間との論理和で生成することを特徴とする請求項５記載の送信装置。
【請求項７】
デジタルビデオデータを受信する受信装置であって、
グローズドキャプションデータのパケットが多重された前記デジタルビデオデータを受信して復調する受信手段と、
この受信手段で復調されたパケットが多重されたデジタルビデオデータを、デジタルビデオデータとパケットとに分離する分離手段と、
この分離手段で分離されたパケットをクローズドキャプションデータにする処理手段と、
を具備したことを特徴とする受信装置。
【請求項８】
データを受信して表示する受信装置において、
識別信号とクローズドキャプションデータのパケットが多重されたデジタルビデオデータとが変調されたデータを受信して復調する受信手段と、
この受信手段で受信されて復調された識別信号とクローズドキャプションデータのパケットが多重されたデジタルビデオデータを、識別信号とデジタルビデオデータとクローズドキャプションデータのパケットとに分離する分離手段と、
この分離手段で分離されたクローズドキャプションデータのパケットをクローズドキャプションデータにする処理手段と、
この処理手段で処理されたクローズドキャプションデータを上記識別信号で識別される上記デジタルビデオデータの映像信号に多重する多重手段と、
この多重手段でクローズドキャプションデータが多重された映像信号を表示する表示手段と、
を具備したことを特徴とする受信装置。
【発明の詳細な説明】
【０００１】
【発明の属する技術分野】
この発明は、ベースバンドデジタルビデオ伝送方式でデジタルビデオデータを送信する送信装置と、デジタルビデオデータを受信する受信装置と、送受信装置と送受信方法に関する。
【０００２】
【従来の技術】
テレビ等のメディア（米国）においては、社会福祉のため難聴者向けにテレビの映像と同時に文字をテレビ上に表示して難聴者を補助することを目的として、クローズド・キャプショニング・システムが取り入れられている。
【０００３】
このクローズド・キャプショニング・システムは、標準ＮＴＳＣ映像信号の垂直帰線期間のライン２１（フィールド１、フィールド２で異なる種類の信号となる）に文字情報を符号化複合信号として多重し、メディアから送信するものである。これにより、クローズドキャプションデコーダの内蔵されたテレビは、このデータをデコードし、映像と同時に文字を表示するようになっている。
【０００４】
しかしながら、ベースバンドデジタルビデオ伝送方式（例えば、ＤＶＩ１．０）では、クローズドキャプションデータを独立に伝送する手段がなかった。従って、クローズドキャプションデータを送信側で映像信号に多重して送信する必要があった。
【０００５】
なお、クローズドキャプションデータの伝送、表示は、上述したように北米においては必須要項である。
【０００６】
【発明が解決しようとする課題】
上記したように、ベースバンドデジタルビデオ伝送方式（例えば、ＤＶＩ１．０）では、クローズドキャプションデータを独立に伝送する手段がないという問題があった。
【０００７】
そこで、この発明は、ベースバンドデジタルビデオ伝送方式においてもクローズドキャプションデータを独立に伝送することのできる送信装置と受信装置と送受信装置と送受信方法を提供することを目的とする。
【０００８】
【課題を解決するための手段】
この発明の送受信装置は、デジタルビデオデータを送受信する送受信装置であって、クローズドキャプションデータをパケットにする第１の処理手段と、この第１の処理手段で処理されたクローズドキャプションデータのパケットを、上記デジタルビデオデータのアクティブビデオ期間外の期間に多重する多重手段と、この多重手段でパケットが多重されたデジタルビデオデータを変調して送信する送信手段と、この送信手段で送信されたパケットが多重されたデジタルビデオデータを受信して復調する受信手段と、この受信手段で復調されたパケットが多重されたデジタルビデオデータを、デジタルビデオデータとパケットとに分離する分離手段と、この分離手段で分離されたパケットをクローズドキャプションデータにする第２の処理手段とから構成されている。
【０００９】
この発明の送受信方法は、デジタルビデオデータの送受信方法であって、クローズドキャプションデータをパケットに処理し、この処理されたクローズドキャプションデータのパケットを上記デジタルビデオデータのアクティブビデオ期間外の期間に多重し、このパケットが多重されたデジタルビデオデータを変調して送信し、この送信されたパケットが多重されたデジタルビデオデータを受信して復調し、この復調されたパケットが多重されたデジタルビデオデータを、デジタルビデオデータとパケットとに分離し、この分離されたパケットをクローズドキャプションデータに処理したことを特徴とする。
【００１０】
【発明の実施の形態】
以下、この発明の一実施の形態について図面を参照して説明する。
【００１１】
図１は、この発明に係るデジタル映像送信装置とデジタル映像受信表示装置の概略構成を示すものである。
【００１２】
デジタル映像送信装置１からデータが伝送路１４を介してデジタル映像受信表示装置６へ送信される。
【００１３】
デジタル映像送信装置１は、デジタルビデオデータイネーブル信号生成部２、クローズドキャプションパケット化部３、パケット多重部４、送信側デジタル伝送物理層５、及びオアゲート１３とから構成されている。
【００１４】
デジタルビデオデータイネーブル信号生成部２は、入力されるＨＶ信号（水平同期信号及び垂直同期信号、以下単に同期信号という）とＤＥ信号（データイネーブル信号）とに基づいてデジタルビデオデータイネーブル信号（Ｖｉｄｅｏ＿ＤＥ）を生成する。
【００１５】
クローズドキャプションパケット化部（以下、ＣＣパケット化部と記述する）３は、マイクロコンピュータ２０から提供されるクローズドキャプションデータをパケット化してＣＣパケットとして出力すると共に、入力されるＨＶ信号とＤＥ信号とに基づいてクローズドキャプションデータイネーブル信号（ＣＣ＿ＤＥ）を出力する。
【００１６】
パケット多重部４は、入力されるデジタルビデオデータとＣＣパケットとをデジタルビデオデータイネーブル信号（Ｖｉｄｅｏ＿ＤＥ）に従って、後述する有効映像データ外、つまりブランキング期間にクローズドキャプションデータを多重して伝送データ２２として出力する。
【００１７】
オアゲート１３は、デジタルビデオデータイネーブル信号（Ｖｉｄｅｏ＿ＤＥ）とクローズドキャプションデータイネーブル信号との論理和を取ってデータイネーブル信号２１を出力する。
【００１８】
送信側デジタル伝送物理層５は、データイネーブル信号２１と伝送データ２２とを変調して伝送路１４を介してデジタル映像受信表示装置６へ送信する。
【００１９】
また、デジタル映像受信表示装置６は、受信側デジタル伝送物理層７、分離部（Ｄｅ−Ｍｕｘ）８、クローズドキャプション脱パケット化部９、クローズドキャプションデコーダ１０、データ多重部１１、及び表示装置１２とから構成されている。
【００２０】
受信側デジタル伝送物理層７は、送信側デジタル伝送物理層５から伝送路１４を介して送信されたデータを受信して復調する。
【００２１】
分離部８は、受信側デジタル伝送物理層７で復調されたデータをデジタルビデオデータとデータイネーブル信号とＣＣパケットとに分離する。
【００２２】
クローズドキャプション脱パケット化部９は、分離部８で分離されたＣＣパケットからクローズドキャプションデータの脱パケット化を行う。
【００２３】
クローズドキャプションデコーダ１０は、脱パケット化されたクローズドキャプションデータをデコードする。
【００２４】
データ多重部１１は、クローズドキャプションデータを映像信号（有効映像データ）に多重して表示装置１２に出力する。こうして表示装置１２に、映像と同時に文字が表示される。
【００２５】
なお、点線枠で示したクローズドキャプションデコーダ１０とデータ多重部１１とは、従来のクローズドキャプションの構成と同じであるので説明を省略する。
【００２６】
図２は、デジタルビデオデータの構成を示すものである。すなわち、デジタルビデオデータは、ブランキング期間と有効映像データ（アクティブビデオ期間）とから構成されている。
【００２７】
本発明は、詳しくは後述するが、このデジタルビデオデータのブランキング期間にパケット化したクローズドキャプションデータを多重して送信するようにしたものである。
【００２８】
次に、このような構成において、デジタル映像送信装置１の動作を図３のフローチャートを参照して説明する。
【００２９】
まず、デジタル映像送信装置１のデジタルビデオデータイネーブル信号生成部２は、入力されるＨＶ信号とＤＥ信号とに基づいてデジタルビデオデータイネーブル信号（Ｖｉｄｅｏ＿ＤＥ）を生成する（ＳＴ１）。このデジタルビデオデータイネーブル信号生成部２で生成されたデジタルビデオデータイネーブル信号（Ｖｉｄｅｏ＿ＤＥ）は、パケット多重部４とオアゲート１３に出力される。
【００３０】
また、ＣＣパケット化部３は、マイクロコンピュータ２０から提供されるクローズドキャプションデータ（ＣＣデータ）をパケット化してＣＣパケットとしてパケット多重部４へ出力する（ＳＴ２）。さらに、ＣＣパケット化部３は、入力されるＨＶ信号とＤＥ信号とに基づいて、上記ＣＣパケットをデジタルビデオデータに多重するためのクローズドキャプションデータイネーブル信号（ＣＣ＿ＤＥ）をオアゲート１３へ出力する（ＳＴ３）。
【００３１】
このクローズドキャプションデータイネーブル信号（ＣＣ＿ＤＥ）は、図２に示したデジタルビデオデータのブランキング期間に多重するよう出力する。例えば、図２に示したＡ部である。
【００３２】
オアゲート１３は、デジタルビデオデータイネーブル信号（Ｖｉｄｅｏ＿ＤＥ）とクローズドキャプションデータイネーブル信号との論理和を取ってデータイネーブル信号（データ有効識別信号）２１を送信側デジタル伝送物理層５へ出力する（ＳＴ４）。
【００３３】
一方、パケット多重部４は、入力されるデジタルビデオデータに、デジタルビデオデータイネーブル信号（Ｖｉｄｅｏ＿ＤＥ）に従ってＣＣパケットを多重して伝送データ２２として送信側デジタル伝送物理層５へ出力する（ＳＴ５）。
【００３４】
図４は、データイネーブル信号２１と伝送データ２２とを示すものである。
【００３５】
すなわち、データイネーブル信号２１は、ＣＣパケットを多重する開始時点でイネーブル（「０」から「１」）となりＣＣパケットの終了時点で非イネーブル（「１」から「０」）となり、有効映像データの開始時点でイネーブル（「０」から「１」）となり有効映像データの終了時点で非イネーブル（「１」から「０」）となる。
【００３６】
また、伝送データ２２におけるＡ部にＣＣパケットが多重されている。このＡ部は、図２で説明したようにデジタルビデオデータのブランキング期間内となっている。
【００３７】
図５は、従来のクローズドキャプションの伝送構成を示すものである。ここでは、１Ｆｉｅｌｄに２ｂｙｔｅｓずつ伝送される。また、Ｐｒｅａｍｂｌｅ　Ｃｏｎｔｒｏｌ　ＣｏｄｅとＭｉｄ‐Ｒｏｗ　Ｃｏｎｔｒｏｌ　Ｃｏｄｅとは、同じデータを２度ずつ送るので、これらで４Ｆｉｅｌｄ使用する。
【００３８】
すなわち、最初にＰｒｅａｍｂｌｅ　Ｃｏｎｔｒｏｌ　Ｃｏｄｅとして同じデータを２度送り、続いてキャプションテキスト（１行に３２文字以内）を送り、最後にＭｉｄ‐Ｒｏｗ　Ｃｏｎｔｒｏｌ　Ｃｏｄｅとして同じデータを２度送っている。
【００３９】
本実施の形態では、この冗長なＰｒｅａｍｂｌｅ　Ｃｏｎｔｒｏｌ　ＣｏｄｅとＭｉｄ‐Ｒｏｗ　Ｃｏｎｔｒｏｌ　Ｃｏｄｅを削減している。これは同じデータを２度送る必要がないからである。図４に示すように、Ａ部のパケット化されたクローズドキャプションデータ、すなわちＣＣパケットは、最初に１つのＰｒｅａｍｂｌｅ　Ｃｏｎｔｒｏｌ　Ｃｏｄｅ、続いてテキストデータ、最後に１つのＭｉｄ‐Ｒｏｗ　Ｃｏｎｔｒｏｌ　Ｃｏｄｅとなっている。
【００４０】
なお、図６に示すように、伝送データ２２にクローズドキャプションデータとビデオデータの識別データとして、「プリアンブルＣＣ」と「プリアンブルＶｉｄｅｏ」とを付加するようにしても良い。
【００４１】
そして、送信側デジタル伝送物理層５は、データイネーブル信号２１と伝送データ２２とを変調して伝送路１４へ送信する（ＳＴ６）。
【００４２】
なお、従来は１Ｆｉｅｌｄに２ｂｙｔｅｓしか伝送できなかったが、本発明では、例えば一画面に最小限必要な（３２ｂｙｔｅｓ）を１度に伝送することができる。さらに、これ以上の伝送も可能である。
【００４３】
次に、デジタル映像受信表示装置６の受信動作を図７のフローチャートを参照して説明する。
【００４４】
まず、受信側デジタル伝送物理層７は、受信したデータを復調して分離部８へ出力する（ＳＴ１１）。
【００４５】
続いて、分離部８は、復調されたデータをデジタルビデオデータとデータイネーブル信号とＣＣパケットとに分離し（ＳＴ１２）、デジタルビデオデータとデータイネーブル信号とをデータ多重部１１へ出力し、ＣＣパケットをクローズドキャプション脱パケット化部９へ出力する。
【００４６】
クローズドキャプション脱パケット化部９は、ＣＣパケットの脱パケット化を行ってクローズドキャプションデータをクローズドキャプションデコーダ１０へ出力する（ＳＴ１３）。
【００４７】
クローズドキャプションデコーダ１０は、脱パケット化されたクローズドキャプションデータをデコードし、データ多重部１１へ出力する（ＳＴ１４）。
【００４８】
データ多重部１１は、デコードされたクローズドキャプションデータを映像信号（有効映像データ）に多重して表示装置１２へ出力する（ＳＴ１５）。
【００４９】
こうして表示装置１２に、映像と同時に文字が表示される（ＳＴ１６）。
【００５０】
以上説明したように上記発明の実施の形態によれば、ベースバンドデジタルビデオ伝送方式（例えば、ＤＶＩ１．０）では、伝送することができなかったクローズドキャプションデータを伝送することができる。
【００５１】
また、アクティブビデオ期間以外でクローズドキャプションデータを伝送することにより、従来の受信側におけるクローズドキャプションシステムをそのまま使用することができる。
【００５２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【００５３】
【発明の効果】
以上詳述したようにこの発明によれば、ベースバンドデジタルビデオ伝送方式においてもクローズドキャプションデータを独立に伝送することのできる送信装置と受信装置と送受信装置と送受信方法を提供することができる。
【図面の簡単な説明】
【図１】この発明に係るデジタル映像送信装置とデジタル映像受信表示装置の概略構成を示すブロック図。
【図２】デジタルビデオデータの構成を示す図。
【図３】デジタル映像送信装置の動作を説明するためのフローチャート。
【図４】データイネーブル信号と伝送データとを説明するための図。
【図５】従来のクローズドキャプションの伝送構成を示す図。
【図６】伝送データの変形例を示す図。
【図７】デジタル映像受信表示装置の受信動作を説明するためのフローチャート。
【符号の説明】
１…デジタル映像送信装置
２…デジタルビデオデータイネーブル信号生成部
３…クローズドキャプションパケット化部（第１の処理手段）
４…パケット多重部（多重手段）
５…送信側デジタル伝送物理層（送信手段）
６…デジタル映像受信表示装置
７…受信側デジタル伝送物理層（受信手段）
８…分離部（分離手段）
９…クローズドキャプション脱パケット化部（第２の処理手段）
１０…クローズドキャプションデコーダ
１１…データ多重部（多重手段）
１２…表示装置（表示手段）
１３…オアゲート（生成手段）
１４…伝送路
【図１】
2004015105.tif 000003
【図２】
2004015105.tif 000004
【図３】
2004015105.tif 000005
【図４】
2004015105.tif 000006
【図５】
2004015105.tif 000007
【図６】
2004015105.tif 000008
【図７】
2004015105.tif 000009